(57)【要約】【課題】抱き幅の広い建築物の開口部周辺におけるタイル張り施工を簡素化し、安全性・仕上げ精度を向上させ、作業時間を短縮する。【解決手段】役物タイル１と平物タイル１１を接着加工したタイルに、溝１ａを設け、被施工面２１に張り付け後、溝１ａに目地材１０を充填することで、複数のタイルに見せる。実際は一体のタイルの為、接着面が二面となり、安全性が向上する。短時間に容易にタイル張り施工が出来る。【選択図】図２
2015001150.tif 000002
【特許請求の範囲】
【請求項１】
開口部廻りの出隅に使用する役物タイルの表面に目地材を充填する為の溝が設けられており、形状が一体であることを特徴とするタイルの加工法である。
【請求項２】
役物タイルと平物タイルの間に前記タイルより厚みの少ない連結部材を挟んで接着することにより、目地材を充填する為の溝が形成されることを特徴とする請求項１記載のタイルの加工法である。
【請求項３】
開口部廻りの出隅に使用する役物タイルと平物タイルの間に、目地材を充填する空間を設けた状態で、連結部材で連結し、一体の形状にするタイルの加工法である。
【発明の詳細な説明】
【技術分野】
【０００１】  この発明は、建築物の開口部廻りにおいて、出隅部分のタイル張り施工に使用する役物タイルの加工法に関する。役物タイルとは、主に出隅・入隅部分のタイル張り施工に使用する、二つの面とそれによって構成される一つの角を有するタイルである。役物タイルには、型を用いて前記記載の形状で焼成する一体成形役物と、複数のタイルを用いて、前記記載の形状に接着加工する接着役物タイルがある。
【背景技術】
【０００２】  抱き納まりとなっている建築物の開口部廻りにタイルの張り付けを行う場合、役物タイルを使用するが、抱き幅が広い場合は、出隅部分に役物タイルを張り、その奥、開口部方向に平物タイルを張る。平物タイルとは、正方形、長方形の平面状のタイルを指す。
開口部廻りのタイルの被施工面（コンクリート等）は性質上、誤差が生じやすいので建具等を納めることが出来ないという事態を避ける為、開口部は寸法に余裕をもって作られている。建具等を取り付け後、タイル張り付け用モルタルで加減し誤差を調整しながら、タイルの張り付けを行う。
【発明の概要】
【発明が解決しようとする課題】
【０００３】  タイル張り付け用モルタルで加減して誤差を調整すると、開口部廻りでは、通常よりタイル張り付け用モルタルが厚くなる箇所が発生する。【０００４】  出隅に張り付ける役物タイルは、建築物正面の壁面は、タイル張り付け用モルタルの量が適切であるので、正面の壁面に張り付けする一面は、圧着することが出来、接着性と安全性が確保できる。よって、抱き幅が狭く役物タイルのみで施工可能な場合、問題はない。【０００５】  しかし、開口部廻りの抱き幅が広く、図１２で示すように、役物タイルと平物タイルで施工する場合、タイル張り付け用モルタルが厚くなった箇所に、一面のみで接着する平物タイルを十分に圧着することは出来ない。【０００６】  その結果、平物タイルと役物タイルの目地・面を合わせようとして施工に時間と手間がかかる上、仕上がりが悪くなる。また平物タイルには剥離・剥落の危険性が生じる。【０００７】  そこで、この発明は、開口部廻りにおけるタイルの施工を簡素化し、作業時間を短縮させ、かつ仕上げ精度・安全性を向上させるタイルの加工法を提供することを目的とする。
【課題を解決するための手段】
【０００８】  以上の課題を解決するために、第一発明は、開口部廻りの出隅に使用する役物タイルで、目地材を充填する為の溝を有し、かつ形状が一体であることを特徴としたタイルの加工法である。ここで示す役物タイルは、一体成形役物タイル、接着役物タイルのどちらでもよく、二つの面とそれによって構成される一つの角を有するタイルであれば、２個以上のタイルを接着加工したものでもよい。【０００９】  第二発明は、開口部廻りの出隅に使用する役物タイルと平物タイルの間に、目地材を充填する為の、前記タイルより厚みの少ない連結部材を挟んで接着し、一体の形状としたタイルの加工法である。タイルと連結部材の厚みの差によって溝が形成される。ここで示す役物タイルは、一体成形役物タイル、接着役物タイルのどちらでもよく、二つの面とそれによって構成される一つの角を有するタイルであれば、２個以上のタイルを接着加工したものでもよい。【００１０】  第三発明は、開口部廻りの出隅に使用する役物タイルと平物タイルの間に、目地材を充填する空間を設けた状態で、連結部材で連結し、一体の形状にするタイルの加工法である。ここで示す役物タイルは、一体成形役物タイル、接着役物タイルのどちらでもよく、二つの面とそれによって構成される一つの角を有するタイルであれば、２個以上のタイルを接着加工したものでもよい。
【発明の効果】
【００１１】  第一発明によれば、開口部廻りの出隅に使用する役物タイルに、溝を有する加工をするので、被施工面に張り付け後、溝に目地材を充填すると、複数個のタイルに見える。【００１２】  実際は一体のタイルの為、被施工面に対する接着面は二面となり、そのうち建築物正面の壁面に張り付けする一面は、十分圧着出来るので、接着性と安全性が確保できる。【００１３】  一体のタイルの為、目地・面も容易に揃うので、作業時間を大幅に短縮できる上、仕上げ精度も向上する。【００１４】  第二発明によれば、開口部廻りの出隅に使用する役物タイルと平物タイルの間に、目地材を充填する為の、前記タイルより厚みの少ない連結部材を挟み、接着加工したものを被施工面に張り付け後、連結部材表面に目地材を充填すると、複数個のタイルに見える。【００１５】  実際は一体のタイルの為、被施工面に対する接着面は二面となり、そのうち建築物正面の壁面に張り付けする一面は、十分圧着出来るので、接着性と安全性が確保できる。【００１６】  一体のタイルの為、目地・面も容易にそろうので、作業時間を大幅に短縮できる上、仕上げ精度も向上する。【００１７】  第三発明によれば、開口部廻りの出隅に使用する役物タイルと平物タイルの間に、目地材を充填する空間を設けた状態で、連結部材で連結し、一体の形状にしたものを、被施工面に張り付け後、空間部分に目地材を充填すると、複数個のタイルに見える。【００１８】  実際は一体のタイルの為、被施工面に対する接着面は二面となり、そのうち建築物正面の壁面に張り付けする一面は、十分圧着出来るので、接着性と安全性が確保できる。一体のタイルの為、目地・面も容易に揃うので、作業時間を大幅に短縮できる上、仕上げ精度も向上する。
【図面の簡単な説明】
【００１９】
【図１】第一発明を用いた役物タイルの一実施例を示した斜視図およびＡ１、Ａ２、Ａ３方向から見た側面図である。
【図２】［図１］の役物タイルの一施工例を示した側面図である。
【図３】第一発明を用いた役物タイルの一実施例を示した斜視図およびＢ１、Ｂ２、Ｂ３方向から見た側面図である。
【図４】第一発明を用いた役物タイルの一実施例を示した斜視図およびＣ１、Ｃ２、Ｃ３方向から見た側面図である。
【図５】第一発明を用いた役物タイルの一実施例を示した斜視図およびＤ１、Ｄ２、Ｄ３方向から見た側面図である。
【図６】第二発明を用いた役物タイルの一実施例を示した斜視図およびＥ１、Ｅ２、Ｅ３方向から見た側面図である。
【図７】第二発明を用いた役物タイルの一実施例を示した斜視図およびＦ１、Ｆ２、Ｆ３方向から見た側面図である。
【図８】第三発明を用いた役物タイルの一実施例を示した斜視図およびＧ１、Ｇ２、Ｇ３方向から見た側面図である。
【図９】第三発明を用いた役物タイルの一実施例を示した斜視図およびＨ１、Ｈ２、Ｈ３方向から見た側面図である。
【図１０】第三発明を用いた役物タイルの一実施例を示した斜視図およびＪ１、Ｊ２、Ｊ３方向から見た側面図である。
【図１１】第三発明を用いた役物タイルの一実施例を示した斜視図およびＫ１、Ｋ２、Ｋ３方向から見た側面図である。
【図１２】［図２］の例を、従来の方法で施工した場合の側面図である。
【発明を実施するための形態】
【００２０】  第一発明の一実施形態を、図１に示す。一体成形役物タイルである役物タイル１の長手方向の小口と、平物タイル１１の階段状にけずられた上端部の小口を接着加工し、一体のタイルにすると、Ａ２方向から見た面の水平方向に溝１ａが形成される。
【００２１】  下端部の小口に削り加工を施した役物タイル１と平物タイル１１の組み合わせでも同様に溝１ａが形成される。
【００２２】  図１のタイルを用いて施工する場合、図２が示すように溝１ａが設けられた面は開口部廻りの抱き部分に、もう一方の面は建築物正面の被施工面２１に張り付けする。溝１ａに目地材１０を充填すると複数のタイルを使用したように見える。
【００２３】  抱き部分はタイル張り付け用モルタル２０が厚くなっているが、建築物正面の壁面で十分に圧着出来る為、役物タイル１の接着性・安全性が確保される。同時に役物タイルに接着された平物タイル１１の安全性も確保出来る。一体のタイルである為、面・目地が容易にそろい、簡単に美しく仕上がる。
【００２４】  溝１ａの深さは役物タイル１と平物タイル１１の厚さにより異なる。また溝１ａを設ける箇所、および溝１ａの数・幅はタイル施工箇所の意匠と使用するタイルの種類により異なる。使用するタイルの個数も施工箇所の意匠と使用するタイルの種類により異なる。
【００２５】  第一発明を用いた加工例を図３、図４、図５に示す。
【００２６】  図３は役物タイル２と上端部が階段状にけずられた平物タイル１２を接着し、Ｂ２方向から見た面の水平方向に溝２ａが形成されている
【００２７】  図４は単体の役物タイル３のＣ２方向から見た面の水平方向に溝３ａが彫られたものである。
【００２８】  図５は一方の小口を４５°にカットした平物タイル１３を２枚用いて、接着役物タイルとし、Ｄ２方向から見た面の水平方向に溝４ａが彫られたものである。
【００２９】  図１、図３、４、図５は、第一発明を用いた代表的な加工例であるが、これ以外にも請求項に記載された範囲で、多様に応用できる。
【００３０】  タイルを削って溝を形成する以外には、特殊な型を用いて、あらかじめ溝のあるタイルを焼成してもよい。
【００３１】  第二発明の一実施形態を、図６、図７に示す。
【００３２】    図６の実施形態では、一体成形役物タイルである、役物タイル４と平物タイル１４の間に連結部材１ｂを挟み接着加工する。
【００３３】  連結部材１ｂの厚さは、役物タイル４および平物タイル１４の厚みより少ないものとする。厚みの差によって形成された窪みが目地材を充填するための溝になる。
【００３４】  連結部材１ｂの素材はタイル・接着剤・金属・木材・プラスチック等、タイルに連結可能なものであればよい。接着加工したタイルを被施工面に張り付け後に、連結部材１ｂの表面に目地材を充填すれば、第一発明の方法で実施した場合と同じ効果が得られる。
【００３５】  第二発明で使用する、連結部材１ｂ、２ｂの数、および連結部材１ｂ、２ｂの幅は、タイルの施工箇所の意匠と使用するタイルの種類により異なる。
【００３６】  使用するタイルの個数も施工箇所の意匠と使用するタイルの種類により異なる。図６、図７の実施形態以外にも請求項に記載された範囲で、多様に応用できる。
【００３７】  第三発明の一実施形態を図８、図９、図１０、図１１に示す。
【００３８】  図８の実施形態では、一体成形役物タイルである役物タイル６と平物タイル１６の間に前記タイルより厚みの少ない、直方体状の連結部材３ｂを、空間を設けながら配置し、接着加工する。
【００３９】  連結部材３ｂと前記タイルの厚みに差によって出来る窪みと、空間部分に目地材を充填すると第一発明の方法で実施した場合と同じ効果が得られる。
【００４０】  図１０の実施形態では、一体成形役物タイルである役物タイル８と平物タイル１８の間に目地材を充填するための空間を設けた状態で、タイル裏面より連結部材５ｂ（接着剤）で接着して連結する。連結したタイルを被施工面に張り付け後に、空間部分に目地材を充填すれば第一発明の方法で実施した場合と同じ効果が得られる。
【００４１】  なお、第三発明で使用する連結部材３ｂ、４ｂ、５ｂ、６ｂの素材はタイル・接着剤・金属・木材・プラスチック等、タイルに連結可能なものであれば良い。
【００４２】  連結部材の数はタイルが接着出来れば何個でも良く、連結の方法・連結部材の形状も目地材を充填するための空間がある状態で、タイルを連結出来るものであれば良い。
【００４３】  図８．図９、図１０、図１１の実施形態以外にも請求項に記載された範囲で、多様に応用できる。
【符号の説明】
【００４４】１  ２  ３  ４  ５  ６  ７  ８  ９                          役物タイル
１０                                                        目地材
１１  １２  １３  １４  １５  １６  １７  １８  １９        平物タイル
２０                                                タイル張り付け用モルタル
２１                                                        被施工面
２２                                                        開口部建具
１ａ  ２ａ  ３ａ  ４ａ                                      溝
１ｂ  ２ｂ  ３ｂ  ４ｂ  ５ｂ  ６ｂ                          連結部材
【図１】
2015001150.tif 000003
【図２】
2015001150.tif 000004
【図３】
2015001150.tif 000005
【図４】
2015001150.tif 000006
【図５】
2015001150.tif 000007
【図６】
2015001150.tif 000008
【図７】
2015001150.tif 000009
【図８】
2015001150.tif 000010
【図９】
2015001150.tif 000011
【図１０】
2015001150.tif 000012
【図１１】
2015001150.tif 000013
【図１２】
2015001150.tif 000014